(57)【要約】【課題】  異なる種類のテストターミナルに汎用的に用いることができ、保護継電器の盤面上における専有面積をより小面積化することができるテストターミナルカバー装置を提供する。【解決手段】  電力系統の保護継電器の盤面に取り付けられて、盤面の前方に向けて開口した中空状のベース部を有する第１部材と、ベース部に挿脱可能に内挿される棒状部と棒状部の軸方向に沿って移動可能なカバー部とを有する第２部材とを備える。【選択図】  図１
2014190769.tif 000002
【特許請求の範囲】
【請求項１】
電力系統の保護継電器の盤面に取り付けられて、盤面の前方に向けて開口した中空状のベース部を有する第１部材と、ベース部に挿脱可能に内挿される棒状部と棒状部の軸方向に沿って移動可能なカバー部とを有する第２部材とを備えることを特徴とするテストターミナルカバー装置。
【請求項２】
第１部材は、ベース部の内面から外面を貫通して突出する導電性の一対の信号線路端子をさらに有し、棒状部は、ベース部に内挿された状態で、一対の信号線路端子を電気的に接続する導電部を有することを特徴とする請求項１に記載のテストターミナルカバー装置。
【請求項３】
第２部材は、ベース部に棒状部を内挿した状態で抜止するロック機構をさらに有する請求項１又は２に記載のテストターミナルカバー装置。
【発明の詳細な説明】
【技術分野】
【０００１】
本発明は、電力系統に設けられた保護継電器を試験するテストターミナルの挿入口を覆うテストターミナルカバー装置に関する。
【背景技術】
【０００２】
従来、電力系統に設けられた保護継電器を試験する装置として、保護継電器に接続されたテストターミナルと、該テストターミナルに挿入される試験プラグとを備えるものが知られている。試験装置では、試験プラグをテストターミナルに挿入した状態で、保護継電器が遮断され、試験プラグが保護継電器内で閉回路を形成する。この状態で、試験プラグから保護継電器に対して電流や電圧が入力され、保護継電器の動作試験が行われる。
【０００３】
ここで、保護継電器により過電流や過電圧等の異常が検出された場合には、検出信号が保護継電器から遮断器に出力され、遮断器が駆動されて電力経路が遮断される。このため、保護継電器の動作試験を行う場合には、保護継電器と遮断器との間の信号線路を遮断した、適切なテストターミナルに試験プラグを挿入する必要があった。
【０００４】
そこで、動作試験においてテストターミナルの誤挿入を防止する保護継電器の試験装置が知られている（例えば、特許文献１参照）。特許文献１の試験装置は、ロック端子と、テストターミナルの挿入口に隣接する位置に設けられる挿入部であって、信号線路から取り外されたロック端子を挿入可能な挿入部と、挿入口の全体又は一部を閉塞可能なバーとを有するテストターミナルカバー装置を備えている。ロック端子が挿入部に挿入されていない状態において、テストターミナルカバー装置は、バーによって挿入口の全体又は一部を閉じている。そして、ロック端子が挿入部に挿入されることで、テストターミナルカバー装置は、試験プラグの挿入方向に交差する方向にバーが回動されて、挿入口の全体又は一部を開放する。
【先行技術文献】
【特許文献】
【０００５】
【特許文献１】特開２０１１−２２６８６１号公報
【発明の概要】
【発明が解決しようとする課題】
【０００６】
特許文献１における試験装置では、保護継電器に設けられるテストターミナルに応じた専用品が用いられる。具体的に、保護継電器の盤面に対するテストターミナルの挿入口の位置（突出量）に応じた専用品が用いられる。これに対し、保護継電器の盤面に対するテストターミナルの挿入口の位置によらず、用いることができる汎用品であることがより好ましい。
【０００７】
また、特許文献１における試験装置では、テストターミナルカバー装置が保護継電器の盤面を面方向で移動するため、テストターミナルカバー装置を移動する専有面積を保護継電器の盤面上に確保する必要がある。この専有面積をより小面積化することができればより好ましい。
【０００８】
本発明は、斯かる事情に鑑み、異なる種類のテストターミナルに汎用的に用いることができ、保護継電器の盤面上における専有面積をより小面積化することができるテストターミナルカバー装置を提供することを目的とする。
【課題を解決するための手段】
【０００９】
本発明に係るテストターミナルカバー装置は、電力系統の保護継電器の盤面に取り付けられて、盤面の前方に向けて開口した中空状のベース部を有する第１部材と、ベース部に挿脱可能に内挿される棒状部と棒状部の軸方向に沿って移動可能なカバー部とを有する第２部材とを備える。
【００１０】
本発明に係るテストターミナルカバー装置によれば、保護継電器の試験を実施しないときには、保護継電器の盤面に取り付けられた第１部材のベース部に第２部材の棒状部が内挿される。これにより、カバー部は、テストターミナルの挿入口の前に位置され、挿入口の一部を閉じた状態にする。
【００１１】
ここで、カバー部は、棒状部の軸方向に沿って移動可能になっていることで、保護継電器の盤面に対して接離可能に構成されている。すなわち、保護継電器の盤面に設けられるテストターミナルの挿入口の位置（突出量）に応じて、カバー部を移動することが可能になっている。そこで、テストターミナルの挿入口の位置（突出量）に応じてカバー部を移動させることで、様々な種類のテストターミナルに対して、汎用的にテストターミナルカバー装置を用いることができる。
【００１２】
保護継電器の試験を実施するときには、第１部材のベース部材から、第２部材の棒状部が抜かれる。これにより、テストターミナルの挿入口の前方から、カバー部が排除される。具体的に、棒状部及びカバー部は、棒状部の軸方向で、ベース部から抜く方向に引かれることで、ベース部から取り外される。したがって、棒状部及びカバー部は、保護継電器の盤面の前方に移動するだけで、テストターミナルの挿入口の開放を実現できる。そのため、保護継電器の盤面の面方向における棒状部及びカバー部の移動面積、すなわち専有面積を少なくすることができる。
【００１３】
本発明の他の態様として、第１部材は、ベース部の内面から外面を貫通して突出する導電性の一対の信号線路端子をさらに有し、棒状部は、ベース部に内挿された状態で、一対の信号線路端子を電気的に接続する導電部を有してもよい。
【００１４】
かかる構成によれば、棒状部がベース部に内挿されていない状態では、一対の信号線路端子のそれぞれは、電気的に接続されていない状態におかれる。すなわち、一対の信号線路端子に接続される信号線路は、遮断される。これにより、カバー部がベース部から取り外されて、テストターミナルの挿入口を開放した状態では、信号線路は遮断される。
【００１５】
一方、棒状部がベース部に内挿されている状態では、導電部が、一対の信号線路端子を電気的に接続する。すなわち、一対の振動線路端子に接続される信号線路は、導電部を介して接続される。これにより、カバー部が棒状部を介してベース部に取り付けられ、テストターミナルの挿入口を閉じた状態では、信号線路は接続される。このように、テストターミナルの挿入口が閉じられるときには、信号線路が接続されるので、試験終了後、容易に通常状態（非試験状態）に状態を復帰させることができる。また、棒状部及びカバー部がベース部から取り外されている状態を容易に外部から視認できるので、信号線路が遮断していることを容易に確認することができる。これに対し、テストターミナルの挿入口が開放されるときには、信号線路が遮断され、信号線路の遮断を失念することを防止できる。
【００１６】
また、本発明のさらなる他の態様として、第２部材は、ベース部に棒状部を内挿した状態で抜止するロック機構をさらに有してもよい。
【００１７】
かかる構成によれば、ロック機構がベース部に棒状部を内挿した状態で抜止するので、棒状部及びカバー部が、ベース部から不意に抜けることを防止でき、保護継電器の動作を安定させることができる。
【発明の効果】
【００１８】
以上の如く、本発明に係るテストターミナルカバー装置によれば、異なる種類のテストターミナルに汎用的に用いることができ、保護継電器の盤面上における専有面積をより小面積化することができるというすぐれた効果を奏する。
【図面の簡単な説明】
【００１９】
【図１】本発明の一実施形態に係るテストターミナルカバー装置の概略斜視図を示す。
【図２】同実施形態に係るテストターミナルカバー装置の概略正面図を示す。
【図３】同実施形態に係るテストターミナルカバー装置の図２におけるＡ−Ａ断面図を示す。
【発明を実施するための形態】
【００２０】
以下、本発明に係るテストターミナルカバー装置における一実施形態について、図１乃至図３を参照して説明する。
【００２１】
本実施形態に係るテストターミナルカバー装置１は、図１に示すように、保護継電器の盤面３に設けられる複数のテストターミナル２の挿入口毎に、一つ設けられる。そして、テストターミナルカバー装置１は、テストターミナル２と同様に、保護継電器の盤面３に固定される。具体的に、テストターミナルカバー装置１は、対応するテストターミナル２の挿入口に隣接して保護継電器の盤面３に固定される。そして、テストターミナルカバー装置１は、保護継電器の試験を実施しないときには、テストターミナル２の挿入口の少なくとも一部を閉じる状態にされる。一方、テストターミナルカバー装置１は、保護継電器の試験を実施するときには、テストターミナル２の挿入口を開放する状態にされる。
【００２２】
このような本実施形態のテストターミナルカバー装置１は、図１乃至図３に示すように、電力系統の保護継電器の盤面３に取り付けられて、盤面３の前方に向けて開口した中空状のベース部１１１を有する第１部材１０と、ベース部１１１に挿脱可能に内挿される棒状部１２０と棒状部１２０の軸方向に沿って移動可能なカバー部１３０とを有する第２部材２０とを備える。
【００２３】
第１部材１０は、ベース部１１１の内面から外面を貫通して突出する導電性の一対の信号線路端子１１２，１１２をさらに有する。そして、第１部材１０は、ベース部１１１による盤面３の貫通位置に対して盤面３の前方側（開口側）に設けられる凹部１１３を有する。
【００２４】
ベース部１１１は、絶縁材料で断面円形状に形成され、盤面３に貫通した状態で盤面３に固定される。ベース部１１１は、一端（盤面３の前方側）を開放して構成され、他端を閉塞して構成される。なお、ベース部１１１は、他端を開口して構成されてもよく、すなわち、円筒状に形成されてもよい。
【００２５】
一対の信号線路端子１１２，１１２のそれぞれは、ベース部１１１の他端側に設けられる。本実施形態において、一対の信号線路端子１１２，１１２のそれぞれは、ネジとして設けられる。より具体的に、一対の信号線路端子１１２，１１２のそれぞれは、ベース部１１１の内面から外面に貫通して設けられ、ネジ皿１１４をベース部１１１の内面に当接するように設けられる。そして、一対の信号線路端子１１２，１１２のそれぞれは、導電性材料で形成された接続金具３１を介して信号線路３２に接続される。
【００２６】
凹部１１３は、ベース部１１１の周方向に沿って、少なくとも一つ設けられる。凹部１１３は、第２部材２０による凹部１１３への嵌合により、第２部材２０をベース部１１１に固定可能に構成される。
【００２７】
第２部材２０は、ベース部１１１に棒状部１２０を内装した状態で抜止するロック機構１４０をさらに有する。
【００２８】
棒状部１２０は、ベース部１１１に内挿された状態でベース部１１１の内面に当接する中空状の本体部１５０と、カバー部１３０を軸止するとともに、棒状部１２０への内挿度合いを変化させることで、挿入口の位置に対してカバー部１３０を接離可能な調整部１６０とを有する。また、棒状部１２０は、ベース部１１１に内挿された状態で、一対の信号線路端子１１２，１１２のそれぞれを電気的に接続可能な導電部１７０を有する。
【００２９】
本体部１５０は、ベース部１１１に内接する中空状の中間部１５１と、中間部１５１の一端で、中間部１５１の内面から軸方向に突出する突片１５２と、中間部１５１の一端で、中間部１５１の外面から径外方向に突出する壁部１５３とを有する。
【００３０】
中間部１５１は、ベース部１１１の内径に対して同じ又は略同じ外径で円筒状に形成される。本実施形態において、中間部１５１は、導電性材料で形成される。これにより、中間部１５１は、ベース部１１１に内挿された状態で、一対の信号線路端子１１２，１１２を電気的に接続する。より具体的に、中間部１５１は、一対の信号線路端子１１２，１１２のそれぞれであるネジのネジ皿１１４に当接することで、一対の信号線路端子１１２，１１２を電気的に接続する。一方、中間部１５１は、ベース部１１１から取り外されることで、一対の信号線路端子１１２，１１２のそれぞれを電気的に遮断するように形成される。
【００３１】
突片１５２は、中間部１５１の一端の内面に、少なくとも一つ設けられる。突片１５２は、中間部１５１に内挿された調整部１６０の表面に当接することで、調整部１６０の回転を抑止すべく設けられる。
【００３２】
壁部１５３は、絶縁性材料で形成され、中間部１５１の一端の外面に、少なくとも一つ設けられる。本実施形態において、壁部１５３は、中間部１５１の一端の外面の周に沿って設けられ、他端側の面でロック機構１４０に接続される。
【００３３】
調整部１６０は、中間部１５１に内挿される長尺状の胴部１６１と、胴部１６１の一端縁に接続され、カバー部１３０を軸止する摘部１６２と、突片１５２の形成位置に合わせて胴部１６１の周方向に設けられる溝部１６３とを有する。
【００３４】
胴部１６１は、絶縁性材料で円柱形状に形成され、中間部１５１の内径と同径又は略同径で構成される。また、胴部１６１は、中間部１５１の長手方向の長さと同じ又は略同じ長さで形成される。そして、胴部１６１は、中間部１５１に内挿された状態で、挿入度合いを変化させることが可能になっている。これにより、カバー部１３０を軸止する摘部１６２の盤面３に対する位置を変化させることができ、併せて盤面３に対するカバー部１３０の位置を変化させることができるようになっている。
【００３５】
摘部１６２は、胴部１６１と同様に絶縁性材料で円中形状に形成される。そして、摘部１６２は、胴部１６１よりも大きな径で形成される。本実施形態において、摘部１６２は、壁部１５３によって形成される本体部１５０の外径と同径で形成される。そして、摘部１６２は、胴部１６１との接続部分の外面でカバー部１３０を軸止する。より具体的に、摘部１６２は、胴部１６１との接続部分の外面に設けられる図示しない突起を、カバー部１３０の摘部１６２への取り付け位置に設けられる図示しない凹部に嵌合することで、カバー部１３０を軸止する。
【００３６】
溝部１６３は、胴部１６１の表面に長手方向に沿って、一端から他端まで設けられる。また、溝部１６３は、突片１５２の中間部１５１からの突出長さと同じ又はより大きい深さで設けられる。そして、溝部１６３は、突片１５２の幅（中間部１５１の内周の周方向の長さ）と同じ幅（胴部１６１の周方向の長さ）で形成される。これにより、溝部１６３は、胴部１６１の挿脱に際して、突片１５２との摩擦力を発生させる。したがって、胴部１６１の挿脱に際して、調整部１６０が中間部１５１から意図せずに脱落することを防止している。
【００３７】
導電部１７０は、一対の信号線路端子１２１，１２１のそれぞれの間を電気的に接続することで、信号線路３２を電気的に接続可能に構成される。本実施形態において、導電部１７０は、中間部１５１であり、中間部１５１の外面が一対の信号線路端子１２１，１２１に当接することで、信号線路を電気的に接続可能に構成される。
【００３８】
カバー部１３０は、図１又は図２に示すように、帯板状に形成される。カバー部１３０は、長手方向の一方の端部で、摘部１６２に軸止される。そして、カバー部１３０は、長手方向をテストターミナル２の挿入口に対して試験プラグの挿入方向に交差する方向に向けられることで、テストターミナル２の挿入口の少なくとも一部を閉じる。本実施形態において、カバー部１３０は、アクリルで形成され、テストターミナル２の挿入口を外部から視認できるように構成されている。
【００３９】
ロック機構１４０は、中間部１５１を挿通する可動部１４１と、可動部１４１の一端に接続される少なくとも一つの第１弾性体１４２と、可動部１４１の径方向に付勢力を付与する第２弾性体１４３と、第２弾性体１４３からの付勢力を受ける球体１４４と、可動部１４１の外面から径外方向に突出する突出部１４５とを有する。
【００４０】
可動部１４１は、絶縁性材料で、円筒形状に形成される。可動部１４１は、ベース部１１１の外径を挿通可能な内径で構成される。また、可動部１４１は、第２弾性体１４３の付勢力によって球体１４４を凹部１１３に嵌合（係止）可能な内径で構成される。そして、可動部１４１は、一端縁で第１弾性体１４２に接続される。これにより、可動部１４１は、壁部１５３の他端側の面に対して、第１弾性体１４２を介して一端縁を対向するように配置される。
【００４１】
第１弾性体１４２は、例えばバネであり、中間部１５１の周方向に沿って、少なくとも一つ設けられる。第１弾性体１４２は、壁部１５３の他端側の面と、可動部１４１の一端縁とを接続し、壁部１５３の他端側の面に対して可動部１４１の一端縁に付勢力を付与する。より具体的に、第１弾性体１４２は、壁部１５３の他端側の面に対して、可動部１４１の一端縁に、可動部１４１の軸方向に付勢力を付与する。
【００４２】
第２弾性体１４３は、例えばバネであり、可動部１４１の内面から径方向に設けられる溝部分に収納されて設けられる。第２弾性体１４３は、可動部１４１に設けられる溝部分の底と、球体１４４とに当接することで、球体１４４に対して可動部１４１の軸方向に付勢力を付与する。
【００４３】
球体１４４は、第２弾性体１４３と同様に、可動部１４１に設けられる溝部分に収容される。より具体的に、球体１４４は、第２弾性体１４３に対して、より可動部１４１の軸方向側に収容される。そして、球体１４４は、可動部１４１に設けられる溝部分から可動部１４１の内面を超えて突出する。これにより、球体１４４は、凹部１１３に嵌合可能になっている。さらには、球体１４４は、溝部分の開口位置で、可動部１４１に保持されることで、溝部分から脱落しないようになっている。より具体的に、球体１４４は、可動部１４１の径内方向に向かって窄む溝部分の開口位置に当接することにより、溝部分から脱落しないようになっている。
【００４４】
突出部１４５は、可動部１４１の周方向に沿って、外面から径外方向に突出して設けられる。このような構成により、突出部１４５は、第１弾性体１４２の付勢力に抗して可動部１４１を可動させる際の滑り止めとして機能する。
【００４５】
本実施形態に係るテストターミナルカバー装置１の構成については以上の通りであり、次に、本実施形態に係るテストターミナルカバー装置１の作用について説明する。
【００４６】
保護継電器の試験が実施されない状況においては、ベース部１１１に対して中間部１５１及び胴部１６１が内挿される状態にされる。これにより、一対の信号線路端子１１２，１１２のそれぞれは、中間部１５１により電気的に接続される。したがって、一対の信号線路端子１１２，１１２のそれぞれに接続される信号線路３２は、接続される状態にされる。この状態において、電気設備に地絡や過電流が発生すると、信号線路３２を通ってトリップ信号が電気設備に送られる。
【００４７】
このとき、ロック機構１４０は、本体部１５０及び調整部１６０をベース部１１１（ベース部１１１）に内挿した状態で固定する。具体的に、可動部１４１の球体１４４は、ベース部１１１の凹部１１３と周方向で一致するように位置される。そして、第２弾性体１４３が、可動部１４１の内面から球体１４４を径内方向に付勢することで、球体１４４及び凹部１１３を嵌合した状態に維持する。これにより、本体部１５０及び調整部１６０は、ベース部１１１から意図せずに抜けないように固定される。
【００４８】
ところで、調整部１６０は、中間部１５１に内挿されていることで、図１に示すように、軸止したカバー部１３０でテストターミナル２の挿入口の少なくとも一部を閉じている。ここで、盤面３からテストターミナル２の挿入口の位置がより突出している場合や、挿入口に常時試験プラグが挿入されている場合等、盤面３の位置とカバー部１３０の位置とを調整したい場合には、調整部１６０を中間部１５１から引き出すことで、調整することができる。
【００４９】
具体的に、調整部１６０が、長手方向に沿って、中間部１５１への胴部１６１の挿入度合いを変化させるように挿脱されることで、盤面３に対するカバー部１３０の位置を変化させることができる。これにより、様々な態様のテストターミナル２及び試験プラグに対してテストターミナルカバー装置１を適用することができる。なお、溝部１６３は、胴部１６１の軸方向への移動に対して突片１５２に当接して摩擦力を発生させるので、調整部１６０の不意の脱落を防止することができる。
【００５０】
保護継電器の試験が実施される際には、信号線路３２が遮断される必要がある。可動部１４１は、突出部１４５を用いて、第１弾性体１４２の付勢力に抗して一端側（壁部１５３に近づく方向）に移動される。これにより、球体１４４は、凹部１１３との嵌合から解除され、本体部１５０及び調整部１６０は、ベース部１１１に内挿された状態から引き抜く方向に移動可能になる。
【００５１】
ここでさらに、可動部１４１が、突出部１４５を用いてさらに一端側に移動されると、本体部１５０及び調整部１６０は、ベース部１１１から引き抜かれる。これにより、本体部１５０は、一対の信号線路端子１１２，１１２のそれぞれの電気的接続を遮断するので、信号線路３２は遮断される。また、調整部１６０がベース部１１１から取り外されることで、カバー部１３０も同様に、ベース部１１１から取り外される。これにより、カバー部１３０は、テストターミナル２の挿入口を開放し、試験プラグを操作又は挿入口に挿入することを可能にする。
【００５２】
試験終了後、本体部１５０及び調整部１６０は、ベース部１１１の一端に設けられた開口から、ベース部１１１に内挿される。そして、球体１４４が、凹部１１３に嵌合されることで、本体部１５０は、一対の信号線路端子１１２，１１２のそれぞれを電気的に接続する。また、カバー部１３０は、テストターミナル２の挿入口の少なくとも一部を閉じる。これにより、信号線路３２が遮断されていない状態での試験の実施を効果的に防止できる。
【００５３】
以上より、本実施形態に係るテストターミナルカバー装置１は、電力系統の保護継電器の盤面３に取り付けられて、盤面３の前方に向けて開口した中空状のベース部１１１を有する第１部材１０と、ベース部１１１に挿脱可能に内挿される棒状部１２０と棒状部１２０の軸方向に沿って移動可能なカバー部１３０とを有する第２部材２０とを備える。
【００５４】
本実施形態に係るテストターミナルカバー装置１によれば、保護継電器の試験を実施しないときには、保護継電器の盤面３に取り付けられた第１部材１０のベース部１１１に第２部材２０の棒状部１２０が内挿される。これにより、カバー部１３０は、テストターミナル２の挿入口の前に位置され、挿入口の一部を閉じた状態にする。
【００５５】
ここで、カバー部１３０は、棒状部１２０の軸方向に沿って移動可能になっていることで、保護継電器の盤面３に対して接離可能に構成されている。すなわち、保護継電器の盤面３に設けられるテストターミナル２の挿入口の位置（突出量）に応じて、カバー部１３０を移動することが可能になっている。そこで、テストターミナル２の挿入口の位置（突出量）に応じてカバー部１３０を移動させることで、様々な種類のテストターミナル２に対して、汎用的にテストターミナルカバー装置１を用いることができる。
【００５６】
保護継電器の試験を実施するときには、第１部材１０のベース部材１１１から、第２部材２０の棒状部１２０が抜かれる。これにより、テストターミナル２の挿入口の前方から、カバー部１３０が排除される。具体的に、棒状部１２０及びカバー部１３０は、棒状部１２０の軸方向で、ベース部１１１から抜く方向に引かれることで、ベース部１１１から取り外される。したがって、棒状部１２０及びカバー部１３０は、保護継電器の盤面３の前方に移動するだけで、テストターミナル２の挿入口の開放を実現できる。そのため、保護継電器の盤面３の面方向における棒状部１２０及びカバー部１３０の移動面積、すなわち専有面積を少なくすることができる。特に、既存のテストターミナル２にテストターミナルカバー１を取り付ける際には、保護継電器の盤面３にベース部１１１を貫通させて取り付けるだけで設置することができる。
【００５７】
本実施形態の他の態様として、第１部材１０は、ベース部１１１の内面から外面を貫通して突出する導電性の一対の信号線路端子１１２，１１２をさらに有し、棒状部１２０は、ベース部１１１に内挿された状態で、一対の信号線路端子１１２，１１２を電気的に接続する導電部１７０を有してもよい。
【００５８】
かかる構成によれば、棒状部１２０がベース部１１１に内挿されていない状態では、一対の信号線路端子１１２，１１２のそれぞれは、電気的に接続されていない状態におかれる。すなわち、一対の信号線路端子１１２，１１２に接続される信号線路３２は、遮断される。これにより、カバー部１３０がベース部１１１から取り外されて、テストターミナル２の挿入口を開放した状態では、信号線路３２は遮断される。
【００５９】
一方、棒状部１２０がベース部１１１に内挿されている状態では、導電部１７０が、一対の信号線路端子１１２，１１２を電気的に接続する。すなわち、一対の振動線路端子１１２，１１２に接続される信号線路３２は、導電部１７０を介して接続される。これにより、カバー部１３０が棒状部１２０を介してベース部１１１に取り付けられ、テストターミナル２の挿入口を閉じた状態では、信号線路３２は接続される。このように、テストターミナル２の挿入口が閉じられるときには、信号線路３２が接続されるので、試験終了後、容易に通常状態（非試験状態）に状態を復帰させることができる。また、棒状部１２０及びカバー部１３０がベース部１１１から取り外されている状態を容易に外部から視認できるので、信号線路３２が遮断していることを容易に確認することができる。これに対し、テストターミナル２の挿入口が開放されるときには、信号線路３２が遮断される、信号線路３２の遮断を失念することを防止できる。
【００６０】
また、本実施形態のさらなる他の態様として、第２部材２０は、ベース部１１１に棒状部１２０を内挿した状態で抜止するロック機構１４０をさらに有してもよい。
【００６１】
かかる構成によれば、ロック機構１４０がベース部１１１に棒状部１２０を内挿した状態で抜止するので、棒状部１２０及びカバー部１３０が、ベース部１１１から不意に抜けることを防止でき、保護継電器の動作を安定させることができる。
【００６２】
なお、本発明に係るテストターミナルカバー装置は、上記した実施の形態に限定されるものではなく、本発明の要旨を逸脱しない範囲内において種々変更を加え得ることは勿論である。また、、下記する各種の変更例に係る構成や方法等を任意に選択して、上記した実施形態に係る構成や方法等に採用してもよいことは勿論である。
【００６３】
例えば、本実施形態に係る中間部１５１は、導電部１７０であり、導電性材料で形成されることとしたが、絶縁性材料で形成されてもよい。このとき、導電部１７０は、、中間部１５１をベース部１１１に内挿した状態で、一対の信号線路端子１１２，１１２のそれぞれに接触する導電性の図示しない導電板であってもよい。この図示しない導電板は、例えば、中間部１５１の外面周方向に沿って設けられてもよい。また、この図示しない導電板は、一対の信号線路端子１２１，１２１を直線的に接続すべく、中間部１５１を径方向に貫通しても受けられてもよい。図示しない導電部は、中間部１５１をベース部１１１に内挿した状態で、一対の信号線路端子１１２，１１２を電気的に接続するので、信号線路３２を接続することができる。また、図示しない導電部は、ベース部１１１から中間部１５１を引き抜くと共に一対の信号線路端子１１２，１１２間の電気的接続を遮断するので、信号線路３２を確実に遮断できる。
【００６４】
なお、上記実施形態における一対の信号線路端子１１２，１１２は、設けられなくともよい。このとき、中間部１５１は、ベース部１１１から引き抜かれることで信号線路３２を遮断できないが、別途設けられる図示しないロック端子を取り外すことで、信号線路３２を遮断することも可能である。
【００６５】
また、上記実施形態における一対の信号線路端子１１２，１１２は、ベース部１１１の他端側に設けられるスイッチを介して接続されるようにしてもよい。具体的に、一対の信号線路端子１１２，１１２のそれぞれは、スイッチを介して接続される。そして、中間部１５１がベース部１１１に内挿されることで、ベース部１１１に設けられるスイッチを押し、これにより、一対の信号線路端子１１２，１１２が電気的に接続される。一方、中間部１５１がベース部１１１から取り外されることで、スイッチが解除されて、一対の信号線路端子１１２，１１２の電気的接続を遮断してもよい。
【００６６】
また、上記実施形態におけるカバー保持部１０は、図１に示すように、テストターミナル２の挿入口の横方向（挿入口の長手方向）に隣接するように、盤面３を貫通して設置されるとしたが、これに限定されない。例えば、カバー保持部１０は、挿入口に対して、縦方向（挿入口の短手方向）に隣接するように、盤面３を貫通して設置されてもよい。このとき、上記調整部１６０は、他の形状を有するカバー部１３０を軸止する調整部１６０に交換されてもよく、上記カバー部１３０のみが他の形状を有するカバー部１３０に交換されてもよい。これにより、保護継電器の盤面３上のスペースに合わせて、テストターミナルカバー装置１を設置することができる。
【００６７】
また、摘部１６２がカバー部１３０を軸止する構成として、カバー部１３０が摘部１６２に接着される構成であってもよい。また、調整部１６０自体がカバー部１３０と一体に構成されてもよい。また、調整部１６０は、本体部１５０と一体に形成されてもよい。このとき、調整部（本体部１５０）は中実状に構成され、摘部１６２は、一端を拡径されて構成され、中途部を縮径されて構成されてよい。中途部の径は、カバー部１３０を軸方向に移動可能な径で構成されるのが好ましい。
【符号の説明】
【００６８】
１      テストターミナルカバー装置
２      テストターミナル
３      盤面
１０    第１部材
２０    第２部材
３１    接続金具
３２    信号線路
１１１  ベース部
１１２  信号線路端子
１１３  凹部
１１４  ネジ皿
１２０  棒状部
１３０  カバー部
１４０  ロック機構
１４１  可動部
１４２  第１弾性体
１４３  第２弾性体
１４４  球体
１４５  突出部
１５０  本体部
１５１  中間部
１５２  突片
１５３  壁部
１６０  調整部
１６１  胴部
１６２  摘部
１４３  溝部
１７０  導電部
【図１】
2014190769.tif 000003
【図２】
2014190769.tif 000004
【図３】
2014190769.tif 000005